(57)【要約】      （修正有）【課題】高酸素濃度気体を供給できる省スペースな照明スタンドを提供する。【解決手段】照明スタンドは、下部本体１、この下部本体から立ち上がる支柱部２および、支柱部の上部に取り付けられる照明部３を備えている。そして、支柱部の外殻内に空気中の酸素を濃縮する酸素濃縮モジュール６を配置し、この酸素濃縮モジュールに照明スタンド外の空気を導入するとともに、酸素濃縮モジュールで濃縮された酸素濃度の高い高酸素濃度気体を照明スタンド外に排出させるエアーポンプ７および、このエアーポンプを駆動するための駆動源を照明スタンドの下部本体内に配置している。【選択図】図４
2015230774.tif 000002
【特許請求の範囲】
【請求項１】
下部本体、この下部本体から立ち上がる支柱部および、支柱部の上部に取り付けられる照明部を備えた照明スタンドにおいて、
前記支柱部の外殻内に空気中の酸素を濃縮する酸素濃縮モジュールを配置し、
この酸素濃縮モジュールに照明スタンド外の空気を導入するとともに、酸素濃縮モジュールで濃縮された酸素濃度の高い高酸素濃度気体を照明スタンド外に排出させるエアーポンプおよび、このエアーポンプを駆動するための駆動源を照明スタンドの下部本体内に配置したことを特徴としている照明スタンド。
【請求項２】
前記酸素濃縮モジュールは縦長の筒状であり、その長手方向を上下方向にして、前記支柱部に内蔵されていることを特徴とする請求項１記載の照明スタンド。
【請求項３】
前記酸素濃縮モジュールで生成される窒素濃度の高い高窒素濃度気体を排気する排気口が、支柱部の上部に設けられていることを特徴とする請求項１または２記載の照明スタンド。
【請求項４】
照明スタンド外の空気を導入する空気導入口が、前記下部本体の背面側に設けられていることを特徴とする請求項１，２または３記載の照明スタンド。
【請求項５】
前記酸素濃縮モジュールで生成される高酸素濃度気体を前方に排出する排出口が、前記下部本体に設けられていることを特徴とする請求項１ないし４の何れか１項記載の照明スタンド。
【請求項６】
前記支柱部は、前記下部本体における左右方向の中央部に配置され、
前記駆動源は、前記下部本体における左右方向の中央部に配置されるとともに、前記エアーポンプは、この駆動源を挟んで左右一対設けられ、
一方の第１エアーポンプは、空気導入口から照明スタンド外の空気を導入するとともに、導入された空気を前記酸素濃縮モジュールに供給しており、
他方の第２エアーポンプは、前記酸素濃縮モジュールで生成された高酸素濃度気体を吸い込んで、照明スタンドの排出口から照明スタンドの外側に排出していることを特徴としている請求項１記載の照明スタンド。
【発明の詳細な説明】
【技術分野】
【０００１】
本発明は、読書や勉強などの効率が向上するように、読書や勉強をしている人などに高酸素濃度気体を供給する照明スタンドに関するものである。
【背景技術】
【０００２】
従来、高酸素濃度気体を供給する装置としては、たとえば、特開２００５−１６８６７号公報（特許文献１）に記載されているように、机の上に高酸素濃度気体を吹き出す装置が設けられているものが従来から知られている。この高酸素濃度気体の供給装置は、高酸素濃度気体の発生装置が室外に設けられており、大がかりで、持ち運びや工事などに手間がかかっていた。
そこで、通常、机の上に置かれている照明スタンドに、高酸素濃度気体を供給する装置を並設したりや組み込んだりすることが検討されている。ただ、単純に、照明スタンドの下側、横側や奥側に設置すると嵩張ることになる。
【先行技術文献】
【特許文献】
【０００３】
【特許文献１】特開２００５−１６８６７号公報
【発明の開示】
【発明が解決しようとする課題】
【０００４】
解決しようとする問題点は、高酸素濃度気体を供給する装置を照明スタンドに単純に並設したりや組み込んだりすると、嵩張り、設置スペースが増大する点である。
【課題を解決するための手段】
【０００５】
本発明の照明スタンドは、下部本体（１）、この下部本体から立ち上がる支柱部（２）および、支柱部の上部に取り付けられる照明部（３）を備えている。そして、支柱部の外殻内に空気中の酸素を濃縮する酸素濃縮モジュール（６）を配置し、この酸素濃縮モジュールに照明スタンド外の空気を導入するとともに、酸素濃縮モジュールで濃縮された酸素濃度の高い高酸素濃度気体を照明スタンド外に排出させるエアーポンプ（７）および、このエアーポンプを駆動するための駆動源（８）を照明スタンドの下部本体内に配置している。
【０００６】
また、酸素濃縮モジュールは縦長の筒状であり、その長手方向を上下方向にして、前記支柱部に内蔵されている場合がある。
さらに、酸素濃縮モジュールで生成される窒素濃度の高い高窒素濃度気体を排気する排気口（２３）が、支柱部の上部に設けられている場合がある。
【０００７】
そして、照明スタンド外の空気を導入する空気導入口（２１）が、前記下部本体の背面側に設けられている場合がある。
また、酸素濃縮モジュールで生成される高酸素濃度気体を前方に排出する排出口（２２）が、前記下部本体に設けられている場合がある。
【０００８】
さらに、支柱部は、前記下部本体における左右方向の中央部に配置され、前記駆動源は、前記下部本体における左右方向の中央部に配置されるとともに、前記エアーポンプは、この駆動源を挟んで左右一対設けられ、一方の第１エアーポンプ（７ａ）は、空気導入口から照明スタンド外の空気を導入するとともに、導入された空気を前記酸素濃縮モジュールに供給しており、他方の第２エアーポンプ（７ｂ）は、前記酸素濃縮モジュールで生成された高酸素濃度気体を吸い込んで、照明スタンドの排出口から照明スタンドの外側に排出している場合がある。
【発明の効果】
【０００９】
本発明によれば、酸素濃縮モジュール、エアーポンプおよび駆動源などの高酸素濃度気体供給装置が照明スタンド内に組み付けられているので、読書や勉強をしている人に高酸素濃度気体を供給して、読書や勉強の効率が向上させることができるとともに、単純に照明スタンドの横などに高酸素濃度気体供給装置を並設したものに比してコンパクトにすることができる。そして、重量のあるエアーポンプおよびその駆動源は下部本体に内蔵しており、照明スタンド全体の重心を低くすることができ、照明スタンドが安定する。しかも、酸素濃縮モジュールが支柱部の外殻内に配置されているため、支柱部の内部空間を有効利用することができる。
【００１０】
また、酸素濃縮モジュールは縦長の筒状であり、その長手方向を上下方向にして、前記支柱部に内蔵されている場合には、縦長の支柱部の内部空間をより効率的に有効利用することができる。
【００１１】
さらに、酸素濃縮モジュールで生成される窒素濃度の高い高窒素濃度気体を排気する排気口が、支柱部の上部に設けられている場合には、照明スタンドから排気された高窒素濃度気体が、室内の空気流れで拡散し、照明スタンドが置かれている机上に滞留することを極力防止することができる。一方、照明スタンドの下部で高窒素濃度気体を排気すると、机の上には書物や用具などが多数載置されており、空気の流れが悪いため、高窒素濃度気体が机上に滞留することになる。
【００１２】
そして、下部本体内に、エアーポンプが駆動源を挟んで左右一対設けられている場合には、支柱部を持った際に、左右のバランスが良く、持ち運びなどが楽になる。
【図面の簡単な説明】
【００１３】
【図１】図１は本発明における照明スタンドの実施の一形態の斜視図である。
【図２】図２は図１の照明スタンドの側面図である。
【図３】図３は照明スタンドにおける気体の流れを説明するための概略の回路図である。
【図４】図４は酸素濃縮モジュール、エアーポンプなどの概略の配置を説明するための説明図である。
【発明を実施するための形態】
【００１４】
高酸素濃度気体を供給できる省スペースな照明スタンドを提供するという目的を、照明スタンドの支柱部の外殻内に酸素濃縮モジュールを配置し、エアーポンプおよび駆動源は照明スタンドの下部本体内に配置することで実現した。
【実施例１】
【００１５】
次に、本発明における照明スタンドの一実施例について、図１ないし図４を用いて説明する。図１は本発明における照明スタンドの実施の一形態の斜視図である。図２は図１の照明スタンドの側面図である。図３は照明スタンドにおける気体の流れを説明するための概略の回路図である。図４は酸素濃縮モジュール、エアーポンプなどの概略の配置を説明するための説明図である。
【００１６】
なお、この照明スタンドは、通常の勉強机に置かれる照明スタンドと同様な形状および照明機能を有している。照明するための具体的構造は、よく知られている照明スタンドと同じなのでその説明は割愛する。また、図３において、照明スタンドの支柱部および下部本体の範囲を二点鎖線で図示し、支柱部および酸素濃縮モジュールは側面から見た状態で、下部本体、エアーポンプおよびその駆動源は上から見た状態で図示されている。そして、図２および図３において、図の左側が照明スタンドの前側で、図の右側が照明スタンドの背面側（すなわち後側）となっている。さらに、図４において、酸素濃縮モジュールおよびエアーポンプは、破線でその概略の配置位置を図示している。
【００１７】
まず始めに、照明スタンドの全体の構造を図１で説明する。
照明スタンドは、下部本体１と、下部本体１の後部から立ち上がる支柱部２と、この支柱部２の上端部に揺動可能に取り付けられている照明部３とからなっている。支柱部２は、下部本体１の後部から立ち上がっているが、照明スタンドの左右方向においては、下部本体１の中央部から立ち上がっている。照明部３は、通常の照明スタンドと同様に、ＬＥＤ、蛍光灯、有機ＥＬ（エレクトロルミネッサンス）、無機ＥＬなどの発光体を具備している。
【００１８】
この様な照明スタンドに、図３に図示する高酸素濃度気体を供給する装置（以下、「高酸素濃度気体供給装置」と呼ぶ）が組み込まれている。高酸素濃度気体供給装置は、酸素濃縮モジュール６、この酸素濃縮モジュール６に空気を供給するエアーポンプ７および、このエアーポンプ７を駆動する駆動源であるモータ８を具備している。
【００１９】
酸素濃縮モジュール６は、中空糸膜モジュールで、縦長の断面円形の筒体１１内に、多数の中空糸１２が並べられている。酸素濃縮モジュール６の下部に設けられた空気入口１３から加圧された空気が入ると、この空気は中空糸１２の中空部を流れる。その際に、酸素は窒素よりも中空糸１２の膜を透過しやすいため、中空糸１２の外側の空気は酸素濃度が高くなり、一方、中空糸１２の内側の空気は窒素濃度が高くなる。中空糸１２の外側の高酸素濃度気体は、筒体１１の高酸素濃度気体出口１４から排出される。また、中空糸１２の内側の高窒素濃度気体は、筒体１１の上部に設けられた高窒素濃度気体出口１６から排出される。この酸素濃縮モジュール６は、長手方向を上下方向にして、図４に図示するように、支柱部２の外殻内（すなわち、内部空間）に配置されている。
【００２０】
エアーポンプ７は、２ヘッド型コンプレッサーで、左右一対の第１エアーポンプ７ａおよび第２エアーポンプ７ｂを具備しており、この左右一対のエアーポンプ７は、その間に駆動源であるモータ８を挟んで配置されている。モータ８は、下部本体１の左右方向においては、略中央部に位置している。モータ８によりエアーポンプ７を駆動すると、第１エアーポンプ７ａは、下部本体１の背面に形成された空気導入口２１から、照明スタンド外の空気を導入し、酸素濃縮モジュール６の空気入口１３から酸素濃縮モジュール６の中空糸１２内に供給する。一方、第２エアーポンプ７ｂは、酸素濃縮モジュール６の筒体１１内の高酸素濃度気体を高酸素濃度気体出口１４から吸い込んで、下部本体１の前面に形成された排出口２２から前方（すなわち、机に座っている人）に向かって吹き出す。また、酸素濃縮モジュール６の高窒素濃度気体出口１６から流量調整弁１７を介して、支柱部２の背面に形成された排気口２３から照明スタンドの外側に排出されている。
【００２１】
この様にして、照明スタンドの排出口２２から高酸素濃度気体が、照明スタンドの載置されている机で読書や勉強している人などに向かって吹き掛けられる。この高酸素濃度気体により読書や勉強している人などが覚醒し、作業効率が向上する。
【００２２】
また、高窒素濃度気体を排出する排気口２３は支柱部２の上部に設けられ、一方、照明スタンドの外側の空気を吸い込む空気導入口２１は下部本体１に設けられて、排気口２３と空気導入口２１とが離れているので、排気口２３から出た高窒素濃度気体を空気導入口２１が吸い込むことを極力防止することができる。
さらに、高酸素濃度気体は下部本体１の排出口２２から前方に放出され、一方、照明スタンドの外側の空気を吸い込む空気導入口２１は下部本体１の背面に設けられているので、排出口２２から放出された高酸素濃度気体を空気導入口２１が吸い込むことを極力防止することができる。
【００２３】
以上、本発明の実施例を詳述したが、本発明は、前記実施例に限定されるものではなく、特許請求の範囲に記載された本発明の要旨の範囲内で、種々の変更を行うことが可能である。本発明の変更例を下記に例示する。
（１）照明スタンドの排出口２２から吹き出される高酸素濃度気体の吹き出し方向を、ノズルの向きなどを変更することにより、可変にすることも可能である。また、排出口２２に、酸素マスクなどの酸素吸入器のチューブやその他機器を接続して、酸素吸入器やその他機器などに高酸素濃度気体を供給することができる。
【００２４】
（２）酸素濃縮モジュールは、中空糸膜モジュールであるが、空気から高酸素濃度気体を生成することができるならば、その形式は適宜変更可能である。ただし、中空糸膜モジュールが最適である。
（３）酸素濃縮モジュール６の筒体１１の断面は、円形であるがその形状は適宜変更可能である。たとえば、楕円や多角形などでも可能である。
【００２５】
（４）エアーポンプは、実施例では２ヘッド型コンプレッサーであるが、酸素濃縮モジュールに照明スタンド外の空気を導入するとともに、酸素濃縮モジュールで濃縮された酸素濃度の高い高酸素濃度気体を照明スタンド外に排出させることができるならば、その構造や形式などは適宜変更可能である。
【産業上の利用可能性】
【００２６】
高酸素濃度気体供給装置が組み込まれた照明スタンドに適用することが最適である。
【符号の説明】
【００２７】
１  下部本体
２  支柱部
３  照明部
６  酸素濃縮モジュール
７  エアーポンプ
７ａ  第１エアーポンプ
７ｂ  第２エアーポンプ
８  モータ（駆動源）
２１  空気導入口
２２  排出口
２３  排気口
【図１】
2015230774.tif 000003
【図２】
2015230774.tif 000004
【図３】
2015230774.tif 000005
【図４】
2015230774.tif 000006